(57)【特許請求の範囲】
【請求項１】
自車の走行する車線に他車が車線変更してくる際に前記自車の運転支援を行う運転支援装置において、
前記自車の運転者の焦り度又は急ぎ度を検出する手段と、
前記焦り度又は急ぎ度が大きいほど自車が他車より前方にくるように、車線変更時における前記自車と前記他車の前後関係を設定する設定手段と、
前記設定手段の設定結果に基づいて前記自車の走行状態を制御する走行制御手段と、
を備えたことを特徴とする運転支援装置。
【請求項２】
自車の走行する車線に他車が車線変更してくる際に前記自車の運転支援を行う運転支援装置において、
前記自車の運転者の運転特性を検出する運転特性検出手段と、
前記運転特性における運転操作速度の平均値が大きいほど又は車間距離の平均値が短いほど自車が他車より前にくるように、車線変更時における前記自車と前記他車の前後関係を設定する設定手段と、
前記設定手段の設定結果に基づいて前記自車の走行状態を制御する走行制御手段と、
を備えたことを特徴とする運転支援装置。
【請求項３】
自車の走行する車線に他車が合流してくる際に前記自車の運転支援を行うものであることを特徴とする請求項１又は２に記載の運転支援装置。
【発明の詳細な説明】
【技術分野】
【０００１】
本発明は、車両の運転操作を支援する運転支援装置に関するものである。
【背景技術】
【０００２】
従来、車両の運転操作を支援するものとして、特開２００２−１７０１９９号公報に記載されるように、本線を走行する車両の平均速度、台数を計測し、平均速度に応じた本線合流時の安全車間距離を算出し、本線を走行する車両に安全車間距離を送信して走行支援を行う車両走行支援システムが知られている。この車両走行支援システムは、本線に合流する車線がある場合に合流に必要な安全車間距離を自動的に確保し、渋滞や事故を軽減し、かつ、円滑な交通流を実現しようとするものである。
【特許文献１】特開２００２−１７０１９９号公報
【発明の開示】
【発明が解決しようとする課題】
【０００３】
しかしながら、このような支援システムにあっては、車両の運転者の心理状態に応じた適切な運転支援が行えないという問題点がある。例えば、運転者の心理状態として、時間がない時など車両走行を急ぎたい場合があり、逆に精神的に疲れている時などゆっくりと運転したい場合などがある。車両走行を急ぎたい場合に、必要最小限より長い車間距離をとることを強いるのは、運転者の心理状態に反するものであり、運転者に違和感を生じさせる。
【０００４】
そこで本発明は、このような問題点を解決するためになされたものであって、運転者が違和感を生じないように運転支援が行える運転支援装置を提供することを目的とする。
【課題を解決するための手段】
【０００５】
すなわち、本発明に係る運転支援装置は、自車の走行する車線に他車が車線変更してくる際に前記自車の運転支援を行う運転支援装置において、前記自車の運転者の焦り度又は急ぎ度を検出する手段と、前記焦り度又は急ぎ度が大きいほど自車が他車より前方にくるように、車線変更時における前記自車と前記他車の前後関係を設定する設定手段と、前記設定手段の設定結果に基づいて前記自車の走行状態を制御する走行制御手段とを備えて構成されている。
【０００６】
この発明によれば、車線変更してくる他車と自車との前後関係を運転者の心理状態に基づいて設定することにより、急いでいる時とそうでない時など異なる心理状態で異なる走行制御が可能となり、運転者の心理状態に応じた走行制御が行える。例えば、焦っている時など道を譲りたくない精神状態の場合には道を譲らせにくくすることができ、運転者が車両走行に違和感を生じることを抑制できる。
【０００７】
また本発明に係る運転支援装置は、自車の走行する車線に他車が車線変更してくる際に前記自車の運転支援を行う運転支援装置において、前記自車の運転者の運転特性を検出する運転特性検出手段と、前記運転特性における運転操作速度の平均値が大きいほど又は車間距離の平均値が短いほど自車が他車より前にくるように、車線変更時における前記自車と前記他車の前後関係を設定する設定手段と、前記設定手段の設定結果に基づいて前記自車の走行状態を制御する走行制御手段とを備えて構成されている。
【０００８】
この発明によれば、車線変更してくる他車と自車との前後関係を運転者の運転特性に基づいて設定することにより、運転者の運転特性に応じて走行制御が行える。例えば、車間を詰めて走行するなど道を譲らない運転特性を有する運転者に対し道を譲らせにくくすることができ、運転者が車両走行に違和感を覚えることを抑制できる。
【０００９】
また本発明に係る運転支援装置において、自車の走行する車線に他車が合流してくる際に前記自車の運転支援を行うものであることが好ましい。
【発明の効果】
【００１０】
本発明によれば、運転者の心理状態などに応じて走行制御を行うことにより、運転者が違和感を生じないように運転支援を行うことができる。
【発明を実施するための最良の形態】
【００１１】
以下、添付図面に基づき、本発明の種々の実施形態について説明する。尚、各図において同一要素には同一の符号を付し、重複する説明を省略する。また、図面の寸法比率は、説明のものと必ずしも一致していない。
（第一実施形態）
図１に本実施形態に係る運転支援装置の構成図を示す。
【００１２】
図１に示すように、本実施形態に係る運転支援装置１は、車両に搭載され、車両の走行制御を行い運転者の運転操作の支援を行う装置である。運転支援装置１は、電子制御装置であるＥＣＵ（Electronic Control Unit）２を備えている。ＥＣＵ２は、装置全体の制御を行うものであり、例えばＣＰＵ、ＲＯＭ、ＲＡＭ、入力信号回路、出力信号回路、電源回路などにより構成され、運転支援制御ルーチンを含む各種の制御ルーチンが記憶されている。
【００１３】
運転支援装置１には、ＧＰＳ（Global Positioning System）センサ３が設けられている。ＧＰＳセンサ３は、車両の位置情報を取得するセンサであり、車両位置情報取得手段として機能するものである。ＧＰＳセンサ３は、ＥＣＵ２と接続され、車両の位置情報をＥＣＵ２に入力する。
【００１４】
運転支援装置１には、車速センサ４が設けられている。車速センサ４は、運転者が運転する自車の走行速度を検出する自車速検出手段であり、例えば車輪速センサが用いられる。車速センサ４は、ＥＣＵ２に接続されており、ＥＣＵ２に出力信号を出力する。
【００１５】
運転支援装置１には、運転操作検出部５が設けられている。運転操作検出部５は、運転操作量を検出する運転操作検出手段であり、例えば操舵角センサ、アクセルセンサ、ブレーキペダルセンサ、ウインカセンサ、ヨーレートセンサ、横加速度センサが該当する。運転操作検出部５の検出信号に基づいて車両の運転操作量及び運転操作速度を算出することできる。
【００１６】
運転支援装置１には、レーダセンサ６が設けられている。レーダセンサ６は、先行車との車間距離を検出する車間距離検出手段として機能するものであり、例えば車両の前方にミリ波を発信し先行車で反射される反射波を検知して先行車との距離を検出するミリ波レーダが用いられる。
【００１７】
運転支援装置１には、前方撮像部７が設けられている。前方撮像部７は、自車の前方を撮像する撮像手段であり、例えばＣＣＤカメラなどが用いられる。この前方撮像部７は、自車の前を走行する先行車を撮像し先行車との車間距離を検出する車間距離検出手段として機能する。また、前方撮像部７は、走行車線に合流してくる合流車両を撮像し合流車両検出手段としても機能する。なお、車間距離検出手段としては、電波式レーダセンサ、撮像画像に基づく画像処理によるものほか、レーザ式センサなど他のものを用いる場合もある。
【００１８】
運転支援装置１には、車内撮像部８が設けられている。車内撮像部８は、自車の車内を撮像する撮像手段であり、例えばＣＣＤカメラなどが用いられる。この車内撮像部８は、自車の運転者を撮像可能に設置され、運転者判断手段などとして機能する。
【００１９】
運転支援装置１には、追従制御設定部９が設けられている。追従制御設定部９は、先行車に対し追従して走行制御する追従制御における制御オンオフや車間距離などの設定を行う追従制御設定手段であり、例えば追従制御のオンオフスイッチ、車間距離設定ボタンなどを備えて構成されている。
【００２０】
また、運転支援装置１は、駆動部１０に接続されている。駆動部１０は、自車の走行駆動を行うものであり、入力される駆動制御信号に応じて自車の走行駆動を行う。この駆動部１０としては、例えばエンジン駆動用のＥＣＵなどが該当する。更に、運転支援装置１は、制動部２０に接続されている。制動部２０は、自車の走行制動を行うものであり、入力される制動制御信号に応じて自車の制動を行う。この制動部２０としては、例えばブレーキ作動用のＥＣＵなどが該当する。
【００２１】
次に、本実施形態に係る運転支援装置の動作について説明する。
【００２２】
図２は、本実施形態に係る運転支援装置１による合流時の運転支援の際における自車と他車との位置関係の説明図である。図３、４は、運転支援装置１における運転支援処理のフローチャートである。
【００２３】
図２に示すように、運転支援装置１は、自車５１が走行する本線６１に対し合流線６２を走行する他車５２が合流してくる場合に自車５１の運転者の運転を支援する。自車５１は、追従制御機能を備えた車両であり、その追従制御中において合流してくる他車５２がある場合に、運転者の心理状態に応じて運転支援を行うものである。
【００２４】
図３、４に示す運転支援処理は、例えば追従制御のスイッチオンによる追従制御の開始によって行われる。この図３、４における一連の制御処理は、ＥＣＵ２により所定の周期で繰り返し実行される。
【００２５】
まず、図３のＳ１０に示すように、運転者の特定処理が行われる。この運転者特定処理は、自車５１の運転者を特定する処理であり、車内撮像部８の撮像画像を画像処理することにより行われる。そして、Ｓ１２に移行し、焦り度の検出処理が行われる。この焦り度検出処理は、運転者の車両運転における焦り度を検出する処理である。処理内容の詳細については後述する。
【００２６】
そして、Ｓ１４に移行し、本線合流部の読み出し処理が行われる。この本線合流部読み出し処理は、自車５１の前方にある本線合流部を読み出す処理である。例えば、ＧＰＳセンサ３の車両位置情報に基づいて自車５１の位置及び走行方向が特定され、ＥＣＵ２に記憶される地図データを参照することにより自車５１の走行方向の前方にある本線合流部が読み出される。
【００２７】
そして、Ｓ１６に移行し、本線合流部が自車５１の前方の所定範囲内にあるか否かが判断される。本線合流部が自車５１の前方の所定範囲内にないと判断された場合には、制御処理を終了する。一方、本線合流部が自車５１の前方の所定範囲内にあると判断された場合には、合流車両の検出処理が行われる（Ｓ１８）。
【００２８】
合流車両検出処理は、自車５１が走行する本線６１に対し合流してくる車両５２を検出する処理である。例えば、図２において、本線６１に隣接して設けられる合流線６２が前方撮像部７により撮像され、その撮像画像に基づいて合流線６２から合流してくる車両があるか否かを判断することにより合流車の検出が行われる。また、その際、合流車５２がある場合、その合流車５２の撮像画像に基づいて自車５１と合流車５２との相対距離ΔＬ及び相対速度ΔＶが検出される。そして、この相対速度ΔＶと自車５１の車速Ｖ２に基づいて合流車５２の車速Ｖ０及び加速度ａが算出される。
【００２９】
なお、合流車の検出、合流車との相対距離及び相対速度の検出は、前方撮像部７でなく、レーダセンサ６を用いて行ってもよいし、前方撮像部７及びレーダセンサ６の双方の出力に基づいて行ってもよく、さらに外部通信による車両情報を用いるなどその他の手法を通じて行ってもよい。
【００３０】
そして、Ｓ２０に移行し、合流時における車間距離ＬＤの算出処理が行われる。この算出処理は、自車５１と合流車５２との合流時における車間距離ＬＤを算出する処理である。例えば、車間距離ＬＤは、次の式（１）により算出される。
【００３１】
ＬＤ＝（Ｌ２＋ΔＬ）−Ｖ２・ｔ  …（１）
この式（１）において、Ｌ２は他車５２の合流位置までの距離、ΔＬは自車５１と他車５２の相対距離、Ｖ２は自車５１の車速、ｔは合流時までの時間である。Ｌ２は、例えば現在の他車５２の位置から合流領域の中央位置までの距離が設定される。また、ｔは、次の式（２）で算出される。
【００３２】
（（Ｖ０２＋２・ａ・Ｌ２）１／２−Ｖ０）／ａ  …（２）
この式（２）において、Ｖ０は合流車５２の車速、ａは合流車５２の加速度である。
【００３３】
そして、図３のＳ２２に移行し、車間距離閾値ＬＤｔｈの算出処理が行われる。この算出処理は、車間距離閾値ＬＤｔｈを算出する処理である。車間距離閾値ＬＤｔｈは、自車５１と合流車５２の車間距離が十分に離れているかどうかを判断する際に用いられる設定値である。この車間距離閾値ＬＤｔｈは、例えば次の式（３）により算出される。
【００３４】
ＬＤｔｈ＝（ａ・ｔ２）／２  …（３）
そして、Ｓ２４に移行し、自車５１と他車５２の合流時における車間距離ＬＤの絶対値が車間距離閾値ＬＤｔｈより短いか否かが判断される。車間距離ＬＤの絶対値が車間距離閾値ＬＤｔｈより短くないと判断された場合には、制御処理を終了する。車間距離ＬＤの絶対値が車間距離閾値ＬＤｔｈより短いと判断された場合には、車間距離判定値ＬＤｘの演算処理が行われる（Ｓ２６）。
【００３５】
車間距離判定値ＬＤｘの演算処理は、車間距離判定値ＬＤｘを演算する処理である。車間距離判定値ＬＤｘは、車間距離ＬＤに基づいて合流車５２を自車５１の前方位置に合流させるか後方位置に合流させるか判断するための判定値である。この車間距離判定値ＬＤｘは、運転者の焦り度に応じて設定される。
【００３６】
例えば、図５に示すように、運転者の焦り度に対する車間距離判定値ＬＤｘのマップがＥＣＵ２に設定され、このマップにより運転者の焦り度に応じて車間距離判定値ＬＤｘが演算される。この場合、運転者の焦り度が大きいほど車間距離判定値ＬＤｘが大きくなるように設定される。すなわち、運転者の焦り度が大きいほど合流車５２が後方へ合流されやすくなる。
【００３７】
そして、図４のＳ２８に移行し、合流時の車間距離ＬＤが車間距離判定値ＬＤｘより小さいか否かが判断される。合流時の車間距離ＬＤが車間距離判定値ＬＤｘより小さくない場合には、合流時に自車５１が合流車５２の前方に行くほど車間距離ＬＤに余裕がないと判断され、本線６１上に自車５１の先行車があるか否かが判断される（Ｓ３０）。
【００３８】
Ｓ３０にて先行車があると判断された場合には、車間時間が長く設定される（Ｓ３２）。例えば、追従制御において現在設定されている車間時間ＴがＴ＋αに設定変更される。車間時間Ｔは、車間距離を車速で除することに算出される。αは車間距離の増加量であり、正の所定値が設定される。一方、Ｓ３０にて先行車がないと判断された場合には、減速処理が行われる（Ｓ３４）。減速処理は、自車５１の走行速度を減速する処理である。例えば、ＥＣＵ２から駆動部１０及び制動部２０に制御信号を出力し、車速が所定の速度だけ減じられる。
【００３９】
Ｓ２８にて合流時の車間距離ＬＤが車間距離判定値ＬＤｘより小さい場合には、合流時に自車５１が合流車５２の前方に行けるぐらい車間距離ＬＤに余裕があると判断され、本線６１上に自車５１の先行車があるか否かが判断される（Ｓ３６）。
【００４０】
Ｓ３６にて先行車があると判断された場合には、車間時間が短く設定される（Ｓ３８）。例えば、追従制御において現在設定されている車間時間ＴがＴ−βに設定変更される。車間時間Ｔは、車間距離を車速で除することに算出される。βは車間距離の減少量であり、正の所定値が設定される。一方、Ｓ３６にて先行車がないと判断された場合には、加速処理が行われる（Ｓ４０）。加速処理は、自車５１の走行速度を加速する処理である。例えば、ＥＣＵ２から駆動部１０に制御信号を出力し、車速が所定の速度だけ上げられる。そして、一連の制御処理を終了する。
【００４１】
図６は、本実施形態に係る運転支援装置１における焦り度算出処理のフローチャートである。
【００４２】
この図６の焦り度算出処理は、図３のＳ１２にて実行される処理であり、運転者の運転操作の変化量に基づいて運転者の焦り度を算出するものである。この焦り度算出処理は、まず、Ｓ１２０に示すように、運転操作量の読み込み処理が行われる。運転操作量の読み込み処理は、運転操作検出部５の運転操作量を読み込む処理である。例えば、運転操作検出手段である操舵角センサ、アクセルセンサ、ブレーキペダルセンサ、ヨーレートセンサ、横加速度センサの一部又は全部の検出信号が運転操作量として読み込まれる。
【００４３】
そして、Ｓ１２１に移行し、運転操作速度の演算処理が行われる。例えば、運転操作量の単位時間当たりの変化量が運転操作速度として算出される。そして、Ｓ１２２に移行し、運転操作速度が初期設定値より大きいか否かが判断される。その際、運転操作速度値が複数種類ある場合には、それぞれに応じた初期設定値と対比される。
【００４４】
Ｓ１２２にて運転操作速度が初期設定値より大きくないと判断された場合には、その運転操作速度が記録され、その運転操作速度値を含め順次記録される運転操作速度の平均値が算出される（Ｓ１２３）。その算出後、Ｓ１２４に移行する。一方、Ｓ１２２にて運転操作速度が初期設定値より大きいと判断された場合には、Ｓ１２４に移行する。
【００４５】
Ｓ１２４では、運転操作速度変化量の算出処理が行われる（Ｓ１２４）。運転操作速度変化量の算出処理は、今回演算された運転操作速度から平均値を減じて運転操作速度変化量を算出する処理である。
【００４６】
そして、Ｓ１２５に移行し、焦り度算出処理が行われる。この焦り度算出処理は、運転操作速度の変化量に基づいて運転者の焦り度を算出する処理である。例えば、焦り度算出処理は、予めＥＣＵ２に設定されるマップを用いて行われる。図７に示すように、運転操作速度変化量に応じた焦り度を設定したマップが用いられ、運転操作速度変化量に応じた焦り度が演算される。この場合、運転操作速度変化量が大きいほど焦り度が大きくなるように演算される。そして、焦り度の演算後、制御処理を終了する。
【００４７】
以上のように、本実施形態に係る運転支援装置１によれば、運転者の焦り度を検出し、その焦り度が大きいほど車間距離判定値ＬＤｘが大きくなるように設定し、他車５２との合流時の車間距離が車間距離判定値ＬＤｘより小さい場合には自車５１が他車５２の前方にくるように走行制御を行い、他車５２との合流時の車間距離が車間距離判定値ＬＤｘより小さくない場合には自車５１が他車５２の後方にくるように走行制御を行う。すなわち、自車５１の運転者の焦り度という心理状態を検出し、その心理状態に基づいて車両合流時における自車５１と合流してくる他車５２との前後関係を設定し、走行制御を行う。これにより、焦っている時とそうでない時など異なる心理状態で異なる走行制御が可能となり、運転者の心理状態に応じた走行制御が行える。
【００４８】
例えば、自車５１の運転車の焦り度が大きいほど自車５１が合流してくる他車５２より前方にくるように走行制御を行うことにより、焦り度が大きく道を譲りたくない精神状態の場合には道を譲らせにくくすることができ、運転者が走行制御に違和感を生じることを抑制できる。なお、この場合、焦り度に代えて急ぎ度として本実施形態に係る運転支援装置１を構成してもよい。
（第二実施形態）
次に、第二実施形態に係る運転支援装置について説明する。
【００４９】
本実施形態に係る運転支援装置は、図１に示す第一実施形態に係る運転支援装置と同様なハード構成を有し、焦り度に応じて合流時の走行制御を行う点で第一実施形態に係る運転支援装置と共通するものである。しかし、本実施形態に係る運転支援装置は、車間距離判定値ＬＤｘを算出せずに走行制御を行う点で第一実施形態に係る運転支援装置と異なっている。
【００５０】
図８、９は、本実施形態に係る運転支援装置の動作を示すフローチャートである。
【００５１】
図８、９に示す運転支援処理は、例えば追従制御のスイッチオンによる追従制御の開始によって行われる。この図８、９における一連の制御処理は、ＥＣＵ２により所定の周期で繰り返し実行される。
【００５２】
まず、図８のＳ５０に示すように、運転者の特定処理が行われる。そして、焦り度の検出処理、本線合流部の読み出し処理、本線合流部有無の判断処理、合流車両の検出処理、車間距離ＬＤの算出処理、車間距離閾値ＬＤｔｈの算出処理、車間距離ＬＤの絶対値と車間距離閾値ＬＤｔｈとの比較処理が順次行われる（Ｓ５２〜Ｓ６４）。このＳ５２〜Ｓ６４の各処理は、図３のＳ１２〜Ｓ２４に対応する処理と同様に行われる。
【００５３】
そして、Ｓ６６に移行し、焦り度閾値Ａｔｈの設定処理が行われる。この焦り度閾値Ａｔｈの設定処理は、焦り度閾値Ａｔｈを設定する処理であり、例えばＥＣＵ２に予め設定される焦り度閾値Ａｔｈを所定の条件に応じて適宜選択して行われる。焦り度閾値Ａｔｈは、合流に際し自車６１の車間距離を縮めるか広げるか又は自車６１を加速させるか減速させるかを判断するための閾値である。
【００５４】
そして、図９のＳ６８に移行し、焦り度Ａが焦り度閾値Ａｔｈより大きいか否かが判断される。焦り度Ａは、Ｓ５２にて検出された焦り度が用いられる。Ｓ６８にて焦り度Ａが焦り度閾値Ａｔｈより大きくない場合には、本線６１上に自車５１の先行車があるか否かが判断される（Ｓ７０）。そして、Ｓ７０にて先行車があると判断された場合には、車間時間が長く設定される（Ｓ７２）。例えば、追従制御において現在設定されている車間時間ＴがＴ＋αに設定変更される。車間時間Ｔは、車間距離を車速で除することに算出される。αは車間距離の増加量であり、正の所定値が設定される。一方、Ｓ７０にて先行車がないと判断された場合には、減速処理が行われる（Ｓ７４）。減速処理は、自車５１の走行速度を減速する処理である。例えば、ＥＣＵ２から駆動部１０及び制動部２０に制御信号を出力し、車速が所定の速度だけ減じられる。
【００５５】
Ｓ６８にて焦り度Ａが焦り度閾値Ａｔｈより大きい場合には、本線６１上に自車５１の先行車があるか否かが判断される（Ｓ７６）。そして、Ｓ７６にて先行車があると判断された場合には、車間時間が短く設定される（Ｓ７８）。例えば、追従制御において現在設定されている車間時間ＴがＴ−βに設定変更される。車間時間Ｔは、車間距離を車速で除することに算出される。βは車間距離の減少量であり、正の所定値が設定される。一方、Ｓ７６にて先行車がないと判断された場合には、加速処理が行われる（Ｓ８０）。加速処理は、自車５１の走行速度を加速する処理である。例えば、ＥＣＵ２から駆動部１０に制御信号を出力し、車速が所定の速度だけ上げられる。そして、一連の制御処理を終了する。
【００５６】
以上のように、本実施形態に係る運転支援装置によれば、運転者の焦り度Ａを検出し、その焦り度Ａが焦り度閾値Ａｔｈより大きい場合には自車５１がなるべく他車５２の前方にくるように走行制御を行い、焦り度Ａが焦り度閾値Ａｔｈより大きくない場合には自車５１が他車５２の後方に来てもいいように走行制御を行う。すなわち、自車５１の運転者の焦り度という心理状態を検出し、その心理状態に基づいて車両合流時における自車５１と合流してくる他車５２との前後関係を設定し、走行制御を行う。これにより、焦っている時とそうでない時など異なる心理状態で異なる走行制御が可能となり、運転者の心理状態に応じた走行制御が行える。
（第三実施形態）
次に、第三実施形態に係る運転支援装置について説明する。
【００５７】
本実施形態に係る運転支援装置は、自車５１の運転者の運転特性を検出し、その運転特性に基づいて合流時における自車５１と他車５２の前後関係を設定して走行制御するものである。
【００５８】
本実施形態に係る運転支援装置は、図１に示す第一実施形態に係る運転支援装置と同様なハード構成を備えたものが用いられる。第一実施形態に係る運転支援装置では運転操作速度変化量に応じて焦り度を算出していたが、本実施形態に係る運転支援装置では運転操作速度の平均値又は車間距離の平均値に基づいて運転特性を検出し、その運転特性に基づいて合流時における自車５１と他車５２の前後関係を設定し走行制御を行う。
【００５９】
例えば、運転操作速度の平均値が大きいほど又は車間距離の平均値が短いほど、合流時において自車５１が合流する他車５２より前にくるように加減速制御又は車間時間制御を行う。これにより、運転者の運転特性に応じた走行制御が行え、運転者が走行制御に違和感を生じることを抑制することができる。
【００６０】
また、車内撮像部８の撮像画像に基づいて運転者を特定し、その運転者の過去の運転状態記録に応じて自動的に合流の際の走行制御設定を行ってもよい。この場合、車両の運転開始時から運転特性に応じた走行制御が可能となる。
【００６１】
なお、上述した各実施形態は本発明に係る運転支援装置の一例を示すものである。本発明に係る運転支援装置は、このようなものに限られるものではなく、各請求項に記載した要旨を変更しないものであれば、実施形態に係る運転支援装置を変形し、又は他のものに適用したものであってもよい。
【００６２】
例えば、上述した各実施形態では、他車が自車の走行する車線に合流する場合について説明したが、他車が自車の走行する車線に車線変更してくる場合に適用してもよい。この場合、他車が車線変更しようとした場合に自車の運転者の心情状態又は運転特性に応じて自車と他車の前後関係を設定し、その設定に基づいて自車の走行状態が制御される。これにより、運転者の心理状態又は運転特性に応じた走行制御が行え、運転者が走行制御に違和感を生じることを抑制することができる。
【００６３】
また、上述した各実施形態では、運転操作速度変化量、運転操作状態などに基づいて運転者の心理状態又は運転特性を検出しているが、追従制御における車間距離設定値に基づいて運転者の心理状態又は運転特性を検出してもよい。例えば、追従制御における車間距離設定値が短いほど、合流時や車線変更時において自車が他車より前にくるように加減速制御又は車間時間変更制御を行う。これにより、運転者の心理状態又は運転特性に応じた走行制御が行え、運転者が走行制御に違和感を生じることを抑制することができる。
【図面の簡単な説明】
【００６４】
【図１】本発明の第一実施形態に係る運転支援装置の構成概要図である。
【図２】図１の運転支援装置の支援対象となる車両の位置等の説明図である。
【図３】図１の運転支援装置における運転支援処理を示すフローチャートである。
【図４】図１の運転支援装置における運転支援処理を示すフローチャートである。
【図５】図３の運転支援処理における車間距離判定値算出処理の説明図である。
【図６】図３の運転支援処理における焦り度算出処理の一例を示すフローチャートである。
【図７】図６の焦り度算出処理に用いるマップの説明図である。
【図８】本発明の第二実施形態に係る運転支援装置の運転支援処理を示すフローチャートである。
【図９】本発明の第二実施形態に係る運転支援装置の運転支援処理を示すフローチャートである。
【符号の説明】
【００６５】
１…運転支援装置、２…ＥＣＵ、３…ＧＰＳセンサ、４…車速センサ、５…運転操作検出部、６…レーダセンサ、７…前方撮像部、８…車内撮像部、９…追従制御設定部、１０…駆動部、２０…制動部。
【図１】
0004725305.tif 000002
【図２】
0004725305.tif 000003
【図３】
0004725305.tif 000004
【図４】
0004725305.tif 000005
【図５】
0004725305.tif 000006
【図６】
0004725305.tif 000007
【図７】
0004725305.tif 000008
【図８】
0004725305.tif 000009
【図９】
0004725305.tif 000010